(57)【要約】【課題】風向変更板とフラップが分割されているため、構成が複雑で通風抵抗による圧力損失が大きいという課題があり、風向変更板とフラップを一体とすることで通風抵抗を低減して、圧力損失を小さくすることを目的としている。【解決手段】駆動手段４に連結され回転軸５を中心に回転自在に備え、風向変更板３により軸方向の風向を制御するとともに、回転軸５を中心として回転する方向に風向を制御する２枚のフラップ６ａ、６ｂが風向変更板３を挟み込むように備え、風向変更板３は中央に近いよりも両端に近いほうが回転軸５に対して傾斜角度が大きく、かつ両端に近い２枚の風向変更板３を反対の傾斜角度を備えた風向変更装置７を備え、風向変更装置７を回転軸５を中心に反転することで、送風を拡散させたり、送風を集中させることができるため、通風抵抗を低減することができ、圧力損失を低減できるという作用を有する。【選択図】図１
2010014326.tif 000002
【特許請求の範囲】
【請求項１】
駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップの中央に近い前記風向変更板よりも、前記フラップの両端に近い前記風向変更板は前記回転軸に対して傾斜角度が大きく、かつ前記フラップの両端に近い２枚の前記風向変更板は逆方向に傾斜し、回転軸を中心に反転することで、送風を拡散させたり、送風を集中させることができる風向変更装置。
【請求項２】
駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップのどちらか一方の端部に近い前記風向変更板を前記回転軸に対して略垂直に備え、前記フラップのもう一方の端部に近い前記風向変更板を前記回転軸に対して傾斜角度を備え、前記回転軸を中心に反転することで、送風を拡散させたり、送風を集中させることができる風向変更装置。
【請求項３】
駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記風向変更板は前記回転軸に対して、すべて同じ方向に傾斜角度を備え、前記回転軸を中心に反転することで、風向を左右に切り替えができる風向変更装置。
【請求項４】
回転軸を中心に速度可変の往復運動ができる往復時間制御手段を備えた請求項１から３いずれか１項に記載の風向変更装置。
【請求項５】
回転軸を中心に複数の往復角で往復運動ができる往復角度制御手段を備えた請求項１から４いずれか１項に記載の風向変更装置。
【請求項６】
送風を拡散した状態で回転軸を中心に往復運動をした後、回転軸を中心に反転して、送風を集中させる状態にして回転軸を中心に往復運動をする動作を交互に繰り返すことができる請求項１、２、４、５いずれか１項に記載の風向変更装置。
【請求項７】
左側に送風した状態で回転軸を中心に往復運動をした後、回転軸を中心に反転して、右側に送風した状態にして回転軸を中心に往復運動をする動作を交互に繰り返すことができる請求項３から５いずれか１項に記載の風向変更装置。
【請求項８】
回転方向の規制をする規制手段を備えた請求項１から７いずれか１項に記載の風向変更装置。
【請求項９】
規制手段に接触させてから位置決めを行う位置決め手段を備えた請求項１から８いずれか１項に記載の風向変更装置。
【請求項１０】
フラップが吹出口を開閉する蓋となる請求項１から９いずれか１項に記載の風向変更装置。
【請求項１１】
風向変更板に曲率を備えた請求項１から１０いずれか１項に記載の風向変更装置。
【請求項１２】
風向変更板は回転軸を中心とした円筒を２枚のフラップによって分断された構成であり、２枚の前記フラップの長さが異なる請求項１から１１いずれか１項に記載の風向変更装置。
【請求項１３】
フラップの周辺に補助フラップを設置して、前記フラップと前記補助フラップが同じ動作をすることができる請求項１から１２いずれか１項に記載の風向変更装置。
【請求項１４】
二つの開口部のうち、一方の大きな開口部は吹出口とほぼ合致するとともに、もう一方の小さな開口部は本体流路に合致する請求項１、２、４から６、７から１３いずれか１項に記載の風向変更装置。
【請求項１５】
両端側で風向変更板の流路とならない部分を封鎖した請求項１から１４いずれか１項に記載の風向変更装置。
【請求項１６】
請求項１から１５いずれか１項に記載の風向変更装置を用いた衣類乾燥機。
【発明の詳細な説明】
【技術分野】
【０００１】
本発明は、一般的な住宅において送風を風向制御する目的で使用される風向変更装置に関するものである。
【背景技術】
【０００２】
従来の風向変更装置として、風を広範囲に均一に当てることを目的として様々な方法のものが存在している。
【０００３】
以下、従来の風向変更装置の一例について図９を参照しながら説明する。
【０００４】
図に示すように、吹出口１０１に設けられた横軸周りに上下方向に揺動するフラップ１０２と、該フラップ１０２を上下方向に駆動するフラップ駆動手段１０３と、吹出口１０１に設けられ水平軸に直交する垂直軸周りに左右方向に揺動する複数の風向変更板１０４と、該風向変更板１０４を左右方向に駆動する風向変更板駆動手段１０５と、横軸の延長線上で風向変更板駆動手段１０５の回転運動を直線運動に変換して前記風向変更板１０４に伝達する伝達機構１０６と、複数の風向変更板１０４を連動させる連動杆とを備えた風向変更装置がある。
【０００５】
これは、フラップ１０２を回転自在に軸支する横軸の延長線上で風向変更板駆動手段１０５の回転運動を直線運動に変換して風向変更板１０４に伝達するので、限られたスペース内で風向変更板１０４の駆動力を風向変更板１０４に伝達することができるものである。
【特許文献１】特開２００７−２４００６３号公報
【発明の開示】
【発明が解決しようとする課題】
【０００６】
このような従来の風向変更装置では、風向変更板とフラップが分割されているため、構成が複雑であり、通風抵抗による圧力損失が大きいという課題があり、圧力損失を低減することが要求されている。
【０００７】
本発明は、このような従来の課題を解決するものであり、風向変更板とフラップを一体として、構成を単純にできることで通風抵抗を低減して、圧力損失を低減することができる風向変更装置を提供することを目的としている。
【課題を解決するための手段】
【０００８】
本発明の風向変更装置は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップの中央に近い前記風向変更板よりも、前記フラップの両端に近い前記風向変更板は前記回転軸に対して傾斜角度が大きく、かつ前記フラップの両端に近い２枚の前記風向変更板は逆方向に傾斜し、回転軸を中心に反転することで、送風を拡散させたり、送風を集中させることができるものである。
【０００９】
また他の手段は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップのどちらか一方の端部に近い前記風向変更板を前記回転軸に対して略垂直に備え、前記フラップのもう一方の端部に近い前記風向変更板を前記回転軸に対して傾斜角度を備え、前記回転軸を中心に反転することで、送風を拡散させたり、送風を集中させることができるものである。また他の手段は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記風向変更板は前記回転軸に対して、すべて同じ方向に傾斜角度を備え、前記回転軸を中心に反転することで、風向を左右に切り替えができるものである。また他の手段は、回転軸を中心に複数の時間間隔で往復運動ができる往復時間制御手段を備えたものである。
【００１０】
また他の手段は、回転軸を中心に複数の往復角で往復運動ができる往復角度制御手段を備えたものである。
【００１１】
また他の手段は、送風を拡散した状態で回転軸を中心に往復運動をした後、回転軸を中心に反転して、送風を集中させる状態にして回転軸を中心に往復運動をする動作を交互に繰り返すことができるものである。
【００１２】
また他の手段は、左側に送風した状態で回転軸を中心に往復運動をした後、回転軸を中心に反転して、右側に送風した状態にして回転軸を中心に往復運動をする動作を交互に繰り返すことができるものである。
【００１３】
また他の手段は、回転方向の規制をする規制手段を備えたものである。
【００１４】
また他の手段は、規制手段に接触させてから位置決めを行う位置決め手段を備えたものである。
【００１５】
また他の手段は、フラップが吹出口を開閉する蓋となるものである。
【００１６】
また他の手段は、風向変更板に曲率を備えたものである。
【００１７】
また他の手段は、風向変更板は回転軸を中心とした円筒を２枚のフラップによって分断された構成であり、２枚の前記フラップの長さが異なるものである。
【００１８】
また他の手段は、フラップの周辺に補助フラップを設置して、前記フラップと前記補助フラップが同じ動作をすることができるものである。
【００１９】
また他の手段は、二つの開口部のうち、一方の大きな開口部は吹出口とほぼ合致するとともに、もう一方の小さな開口部は本体流路に合致するものである。
【００２０】
また他の手段は、両端側で風向変更板の流路とならない部分を封鎖したものである。
【００２１】
また他の手段は、風向変更装置を用いた衣類乾燥機である。
【発明の効果】
【００２２】
本発明によれば風向変更板とフラップを一体とすることで、部品点数が少ないため、資材費用および組立工数が削減でき、送風の拡散と集中の制御が良く、通風抵抗が少ないことによる送風効率が良くなり、省エネを実現できるという効果のある風向変更装置を提供できる。
【００２３】
また、風向変更板とフラップを一体とすることで、部品点数が少ないため、資材費用および組立工数が削減でき、送風の拡散と集中の制御が良く、通風抵抗が少ないことによる送風効率が良くなり、省エネを実現できるという効果のある風向変更装置を提供できる。
【００２４】
また、風向変更板とフラップを一体とすることで、部品点数が少ないため、資材費用および組立工数が削減でき、送風の左右の風向制御が良く、通風抵抗が少ないことによる送風効率が良くなり、省エネを実現できるという効果のある風向変更装置を提供できる。
【００２５】
また、送風の往復する間隔の制御が良く、通風抵抗が少ないことによる送風効率が良くなり、省エネを実現できるという効果のある風向変更装置を提供できる。
【００２６】
また、送風の往復運動する範囲の制御が良く、通風抵抗が少ないことによる送風効率が良くなり、省エネを実現できるという効果のある風向変更装置を提供できる。
【００２７】
また、風向を自在に制御できることで、快適性の向上や部屋全体を送風できるという効果のある風向変更装置を提供できる。
【００２８】
また、風向を自在に制御できることで、快適性の向上や部屋全体を送風できるという効果のある風向変更装置を提供できる。
【００２９】
また、不必要な動作を防ぎ、送風の制御が良く、通風抵抗が少ないことによる送風効率が良くなり、省エネを実現できるという効果のある風向変更装置を提供できる。
【００３０】
また、稼動させるたびに基準が移動することなく、送風の制御が良く、通風抵抗が少ないことによる送風効率が良くなり、省エネを実現できるという効果のある風向変更装置を提供できる。
【００３１】
また、外観の美観を保つとともに、送風の制御が良く、通風抵抗が少ないことによる送風効率が良くなり、省エネを実現できるという効果のある風向変更装置を提供できる。
【００３２】
また、送風の遠方到達距離や制御が良く、通風抵抗が少ないことによる送風効率が良くなり、省エネを実現できるという効果のある風向変更装置を提供できる。
【００３３】
また、送風の遠方到達距離や制御が良く、通風抵抗が少ないことによる送風効率が良くなり、省エネを実現できるという効果のある風向変更装置を提供できる。
【００３４】
また、送風の遠方到達距離や制御が良く、通風抵抗が少ないことによる送風効率が良くなり、省エネを実現できるという効果のある風向変更装置を提供できる。
【００３５】
また、送風の制御が良く、通風抵抗が少ないことによる送風効率が良くなり、省エネを実現できるという効果のある風向変更装置を提供できる。
【００３６】
また、送風の制御が良く、通風抵抗が少ないことによる送風効率が良くなり、省エネを実現できるという効果のある風向変更装置を提供できる。
【００３７】
また、衣類の乾燥を効率よく行い、省エネを実現できる風向変更装置を用いた衣類乾燥機を提供できる。
【発明を実施するための最良の形態】
【００３８】
本発明の請求項１記載の発明は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップの中央に近い前記風向変更板よりも、前記フラップの両端に近い前記風向変更板は前記回転軸に対して傾斜角度が大きく、かつ前記フラップの両端に近い２枚の前記風向変更板は逆方向に傾斜し、回転軸を中心に反転することで、送風を拡散させたり、送風を集中させることができるものであり、風向変更板とフラップを一体とすることで、回転軸を中心とした回転方向の風向の制御と送風を拡散および集中する制御を実施することができるため、別々の風向変更板とフラップがあるよりも通風抵抗を低減することができ、圧力損失を低減することができるという作用を有する。
【００３９】
また、本発明の請求項２記載の発明は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記フラップのどちらか一方の端部に近い前記風向変更板を前記回転軸に対して略垂直に備え、前記フラップのもう一方の端部に近い前記風向変更板を前記回転軸に対して傾斜角度を備え、前記回転軸を中心に反転することで、送風を拡散させたり、送風を集中させることができるものであり、風向変更板とフラップを一体とすることで、回転軸を中心とした回転方向の風向の制御と送風を拡散および集中する制御を実施することができるため、別々の風向変更板とフラップがあるよりも通風抵抗を低減することができ、圧力損失を低減することができ、風向変更装置が送風対象に対して非対称でも対応できるという作用を有する。
【００４０】
また、本発明の請求項３記載の発明は、駆動手段に連結されて回転軸を中心に回転する複数の風向変更板と、前記風向変更板を挟み込むように、２枚のフラップを備え、前記風向変更板により軸方向の風向を制御するとともに、前記フラップにより前記回転軸を中心として回転する方向に風向を制御し、前記風向変更板は前記回転軸に対して、すべて同じ方向に傾斜角度を備え、前記回転軸を中心に反転することで、風向を左右に切り替えができるものであり、風向変更板とフラップを一体とすることで、回転軸を中心とした回転方向の風向の制御と送風を軸方向に風向を左右制御することを実施することができるため、別々の風向変更板とフラップがあるよりも通風抵抗を低減することができ、圧力損失を低減することができるという作用を有する。
【００４１】
また、本発明の請求項４記載の発明は、回転軸を中心に速度可変の往復運動ができる往復時間制御手段を備えたものであり、往復運動する時間間隔を変更することで、風向の制御を自在にできるという作用を有する。
【００４２】
また、本発明の請求項５記載の発明は、回転軸を中心に複数の往復角で往復運動ができる往復角度制御手段を備えたものであり、複数の往復角を変更することで、風向の制御を自在にできるという作用を有する。
【００４３】
また、本発明の請求項６記載の発明は、送風を拡散した状態で回転軸を中心に往復運動をした後、回転軸を中心に反転して、送風を集中させる状態にして回転軸を中心に往復運動をする動作を交互に繰り返すことができるものであり、風向変更装置の往復運動を制御するとともに送風の拡散と集中を交互に繰り返して、風向を制御できるという作用を有する。
【００４４】
また、本発明の請求項７記載の発明は、左側に送風した状態で回転軸を中心に往復運動をした後、回転軸を中心に反転して、右側に送風した状態にして回転軸を中心に往復運動をする動作を交互に繰り返すことができるものであり、風向変更装置の往復運動を制御するとともに送風の左右の送風を交互に繰り返して、風向を制御できるという作用を有する。
【００４５】
また、本発明の請求項８記載の発明は、回転方向の規制をする規制手段を備えたものであり、風向変更装置の回転方向を規制することで、不必要な動作を防ぐことができ、接触による破損も防ぐことができるという作用を有する。
【００４６】
また、本発明の請求項９記載の発明は、規制手段に接触させてから位置決めを行う位置決め手段を備えたものであり、位置決め手段を備えることで、風向変更装置の位置が動作ごとに基準を決めることができるという作用を有する。
【００４７】
また、本発明の請求項１０記載の発明は、フラップが吹出口を開閉する蓋となるものであり、フラップが閉じた時には吹出口を閉じて、外観を損なわないことができ、フラップが開いた時には吹出口を有効に利用して送風することができるという作用を有する。
【００４８】
また、本発明の請求項１１記載の発明は、風向変更板に曲率を備えたものであり、空気の流路曲線に沿って風向変更板に曲率を備えることで、空気が風向変更板に付着しやすくなり、剥離による圧力損失が起こりにくくすることができるという作用を有する。
【００４９】
また、本発明の請求項１２記載の発明は、風向変更板は回転軸を中心とした円筒を２枚のフラップによって分断された構成であり、２枚の前記フラップの長さが異なるものであり、フラップの長さがどちらも長ければ、通風部分の面積が狭くなるため圧力損失が大きくなりすぎ、フラップの長さがどちらも短い場合は、流体の遠方への流れを付着効果によって作り出すことができないため、一方を長くし、もう一方を短くすることで圧力損失を少なくするとともに、付着効果を利用することができるという作用を有する。
【００５０】
また、本発明の請求項１３記載の発明は、フラップの周辺に補助フラップを設置して、前記フラップと前記補助フラップが同じ動作をすることができるものであり、より遠方に風を到達したい場合に、補助フラップを利用してフラップと合致させることで付着効果を向上することができるという作用を有する。
【００５１】
また、本発明の請求項１４記載の発明は、二つの開口部のうち、一方の大きな開口部は吹出口とほぼ合致するとともに、もう一方の小さな開口部は本体流路に合致するものであり、小さな開口部が本体流路と合致することで、流路の損失を低減できるという作用を有する。
【００５２】
また、本発明の請求項１５記載の発明は、両端側で風向変更板の流路とならない部分を封鎖したものであり、流路とならない部分を閉空間とすることで、余分なスペースによる流体の損失を低減したり、漏れなどを生じないようにできるという作用を有する。
【００５３】
また、本発明の請求項１６記載の発明は、風向変更装置を用いた衣類乾燥機を示したものであり、衣類の乾燥を効率よく行い、省エネを実現できる作用を有する。
【００５４】
以下、本発明の実施の形態について図面を参照しながら説明する。
【００５５】
（実施の形態１）
図１に本発明の実施の形態１の風向変更装置を衣類乾燥機に搭載した構成を示す断面図、図２に同送風を集中した状態の構成を示す断面図、図３および図４に同風向変更装置の斜視図、図５に同衣類乾燥機の外側から見た斜視図、図６に同衣類乾燥機の内側から見た斜視図を示す。
【００５６】
衣類乾燥機１から風を吹き出す吹出口２と複数の直線形状あるいは曲率を備えた風向変更板３を備えて、駆動手段４に連結されて回転軸５を中心に回転自在に備え、風向変更板３により軸方向の風向を制御するとともに、回転軸５を中心とした回転する方向に風向を制御する２枚のフラップ６ａおよびフラップ６ｂが、風向変更板３を挟み込むように一体として備えており、フラップ６ａ、６ｂにより回転軸５を中心とした回転方向の風向を制御するようになっておりフラップ６ａ、６ｂの中央に近い風向変更板３ａよりもフラップ６ａ、６ｂの両端に近い風向変更板３ｂのほうが回転軸５に対して傾斜角度が大きく、かつフラップ６ａ、６ｂの両端に近い風向変更板３ｂと風向変更板３ｃは反対の傾斜角度を備えた風向変更装置７を備えた構成となっている。
【００５７】
ここで、風向変更装置７には、風向変更板３がハの字に広がりを持っている拡散開口側８とその逆に風向変更板３が除々に狭くなる集中開口側９がある。
【００５８】
拡散開口側８は、集中開口側９よりも通風する部分の面積が大きく、拡散開口側８と吹出口２はほぼ合致する大きさであり、集中開口側９は衣類乾燥機１の本体流路１５に合致する構成である。ここで集中開口側９の両端で通風しない部分は、風が漏れて風向変更装置７から通風される流速が遅くなることを防ぐために封鎖した構成である。
【００５９】
風向変更装置７は、円筒状の形態を２枚のフラップ６ａ、６ｂによって分断された構成となっており、フラップ６ａのほうがフラップ６ｂよりも長く構成されており、これにより拡散開口側８と集中開口側９への流路の面積が大きくなるとともに、フラップ６ａの長さが長くできることによる付着効果が有効になる。
【００６０】
また、風向変更装置７が回転軸５を中心に、速度可変の往復運動ができる往復時間制御手段１０を備えている。
【００６１】
更に、風向変更装置７が回転軸５を中心に、複数の往復角で往復運動ができる往復角度制御手段１１も備えている。
【００６２】
風向変更装置７の回転方向の規制をする規制手段１２を備え、風向変更装置７が回転動作を終了する際には、必ず規制手段１２に風向変更装置７を接触させてから位置決めを行うように位置決め手段１３を備えている。
【００６３】
更に、風向変更装置７の周りに補助フラップ１４を設置して、風向変更装置７の持つ長いフラップ６ａと補助フラップ１４が一体となって同じ動作をすることができる構成であり、遠方に風を到達しやすくすることができる。
【００６４】
次に本発明の動作について説明する。
【００６５】
風向変更板３に風が近接すると、流体の付着効果により風の進行方向が変わり風向変更板３の形状に沿って風が流れる。同様にフラップ６ａ、６ｂの間に風が流れるため、フラップ６ａ、６ｂに沿って風の進行方向が決められ、フラップ６ａ、６ｂが回転軸５を中心に回転することで送風方向が制御されている。
【００６６】
更に、風向変更装置７を回転軸５を中心に駆動手段４を使用して反転することで、拡散開口側８から送風を拡散させたり、集中開口側９から送風を集中させることができる。
【００６７】
そして、風向変更装置７が、拡散開口側８から送風を拡散した状態で、回転軸５を中心に往復運動をした後、回転軸５を中心に反転して、集中開口側９から送風を集中させる状態にして回転軸５を中心に往復運動をする動作を交互に繰り返すことができる。
【００６８】
風向変更装置７を衣類乾燥機１の中に格納する場合は、フラップ６ａ、６ｂが吹出口を開閉する蓋となるため、必ず規制手段１２に風向変更装置７を接触させてから位置決めを行うように、位置決め手段１３により行われることで、フラップ６ａ、６ｂの位置が、衣類乾燥機１の外装にしっかりと決められて、フラップ６ａ、６ｂと外装の隙間をなくすことができる。
【００６９】
往復時間制御手段１０により往復運動する時間間隔を変更することで、速度可変の風向制御を自在にでき、衣類を乾燥させる際に衣類の乾燥の状況に合わせて風向の速度を可変させるものである。同様に往復角度制御手段１１は、衣類を１本の竿で干す場合と２本の竿で干す場合では、往復する角度が異なるため、複数の往復角度を設定できるものである。
【００７０】
以上のように、風向変更板とフラップを一体とすることで、部品点数が少なくなり、資材費用および組立工数が削減でき、送風の拡散と集中の制御が良く、通風抵抗が少ないことによる送風効率が良くなり、省エネを実現できるという効果のある風向変更装置を提供できる。
【００７１】
また、図１に示したように、この風向変更装置を浴室換気乾燥機や除湿機等の衣類乾燥機能を有する衣類乾燥機に搭載すれば、衣類の乾燥をすばやく乾燥できるようになり、省エネを実現できるという効果のある衣類乾燥機を提供できる。
【００７２】
（実施の形態２）
本発明の実施の形態２は、実施の形態１と同一部分については同一番号を付し、詳細な説明は省略する。
【００７３】
図７に本発明の実施の形態２の風向変更装置の斜視図を示す。
【００７４】
フラップ６ａ、６ｂのどちらか一方の端部に近い風向変更板３を回転軸５に対して略垂直に備え、フラップ６ａ、６ｂのもう一方の端部に近い風向変更板３を回転軸５に対して傾斜角度を備えた風向変更装置７を備え、風向変更装置７を回転軸５を中心に反転することで、送風を拡散させたり、送風を集中させることができる構成である。
【００７５】
この構成により回転軸を中心とした回転方向の風向の制御と送風を拡散および集中する制御を実施することができるため、別々の風向変更板とフラップがあるよりも通風抵抗を低減することができ、圧力損失を低減することができ、風向変更装置が送風対象に対して非対称でも対応できる。
【００７６】
また、この風向変更装置を浴室換気乾燥機や除湿機等の衣類乾燥機能を有する衣類乾燥機に搭載すれば、衣類の乾燥をすばやく乾燥できるようになり、省エネを実現できるという効果のある衣類乾燥機を提供できる。
【００７７】
（実施の形態３）
本発明の実施の形態３は、実施の形態１および実施の形態２と同一部分については同一番号を付し、詳細な説明は省略する。
【００７８】
図８に本発明の実施の形態３の風向変更装置の斜視図を示す。
【００７９】
風向変更板３は回転軸５に対してすべて同じ方向に傾斜角度を備えた風向変更装置７であり、風向変更装置７を回転軸５を中心に反転することで、風向を左右に切り替えができる構成である。
【００８０】
この構成により、風向変更板とフラップを一体とすることで、回転軸を中心とした回転方向の風向の制御と送風を軸方向に風向を左右制御することを実施することができるため、別々の風向変更板とフラップがあるよりも通風抵抗を低減することができ、圧力損失を低減することができる。
【００８１】
また、この風向変更装置を浴室換気乾燥機や除湿機等の衣類乾燥機能を有する衣類乾燥機に搭載すれば、衣類の乾燥をすばやく乾燥できるようになり、省エネを実現できるという効果のある衣類乾燥機を提供できる。
【産業上の利用可能性】
【００８２】
空気調和機に取付けた風向変更装置を用いて、容易に室内を快適にすることができ、浴室の天井部分に風向変更装置を取付けることにより、浴室内や衣類の乾燥効果の大きくすることができる浴室換気乾燥機の用途にも適用できる。また、容易に除湿機や加湿器などに使用することが考えられる。
【図面の簡単な説明】
【００８３】
【図１】本発明の実施の形態１の風向変更装置を衣類乾燥機に搭載した構成を示す断面図
【図２】同送風を集中した状態の構造を示す断面図
【図３】同風向変更装置の斜視図
【図４】同斜視図
【図５】同衣類乾燥機の外側から見た斜視図
【図６】同衣類乾燥機の内側から見た斜視図
【図７】本発明の実施の形態２の風向変更装置の斜視図
【図８】本発明の実施の形態３の風向変更装置の斜視図
【図９】従来の風向変更装置の構成を示す斜視図
【符号の説明】
【００８４】
１    衣類乾燥機
２    吹出口
３    風向変更板
４    駆動手段
５    回転軸
６ａ  フラップ
６ｂ  フラップ
７    風向変更装置
８    拡散開口側
９    集中開口側
１０  往復時間制御手段
１１  往復角度制御手段
１２  規制手段
１３  位置決め手段
１４  補助フラップ
１５  本体流路
【図１】
2010014326.tif 000003
【図２】
2010014326.tif 000004
【図３】
2010014326.tif 000005
【図４】
2010014326.tif 000006
【図５】
2010014326.tif 000007
【図６】
2010014326.tif 000008
【図７】
2010014326.tif 000009
【図８】
2010014326.tif 000010
【図９】
2010014326.tif 000011